(57)【特許請求の範囲】
【請求項１】
運転者がディスプレー上におけるレンジ毎のレンジ表示記号を操作して発生させたレンジ選択指令に応動するアクチュエータによりマニュアル弁を選択レンジ対応の位置にして自動変速を可能にした自動変速機において、
先ず現在選択中のレンジに対応したレンジ表示記号を選択して現在レンジ確認済の信号を発生させ、
該現在レンジ確認済信号の発生中に別のレンジ表示記号の選択が確定された時に、該別のレンジ表示記号に対応したレンジへの切り換えを指令するよう前記レンジ選択指令を発する構成にしたことを特徴とする自動変速機の選択レンジ切り換え制御装置。
【請求項２】
現在選択中のレンジに対応したレンジ表示記号を指示した後は指示状態が継続する限り、指示位置がディスプレー上のどこに移動しても前記現在レンジ確認済の信号を発生させ続けるよう構成したことを特徴とする請求項１記載の自動変速機の選択レンジ切り換え制御装置。
【請求項３】
現在選択中のレンジに対応したレンジ表示記号を指示した後は指示状態が継続する間、指示位置の移動につれて移動する指示位置表示記号をディスプレー上に表示するよう構成したことを特徴とする請求項２記載の自動変速機の選択レンジ切り換え制御装置。
【請求項４】
前記指示位置を前記別のレンジ表示記号が存在する位置に移動させて指示状態を解除する時に前記別のレンジ表示記号の選択が確定されたこととするよう構成したことを特徴とする請求項２または３記載の自動変速機の選択レンジ切り換え制御装置。
【請求項５】
先ず現在選択中のレンジに対応したレンジ表示記号を指で押して現在レンジ確認済の信号を発生させ、
この指押しによる現在レンジ確認済信号の発生中に他の指で別のレンジ表示記号を押して該別のレンジ表示記号の選択を確定した時、該別のレンジ表示記号に対応したレンジへの切り換えを指令するよう前記レンジ選択指令を発する構成にしたことを特徴とする自動変速機の選択レンジ切り換え制御装置。
【発明の詳細な説明】
【０００１】
【発明の属する技術分野】
本発明は、自動変速機の選択レンジ切り換え制御装置に関し、特に運転者がリンクなどにより直接機械的にマニュアル弁を操作して選択レンジ対応の位置にするのでなく、運転者のレンジ選択指令に応動するモータ等のアクチュエータによりマニュアル弁を間接的に選択レンジ対応の位置にするようにした、所謂シフトバイワイヤ式の選択レンジ切り換え制御装置に関するものである。
【０００２】
【従来の技術】
自動変速機は有段式自動変速機か無段変速機かを問わず、希望する走行形態に応じて運転者がマニュアル弁を前進自動変速（Ｄ）レンジや、エンジンブレーキ（Ｌ）レンジや、後退走行（Ｒ）レンジや、駐車（Ｐ）レンジや、中立（Ｎ）レンジに対応した位置にすることで、希望の走行形態（駐停車を含む）を実現することができる。
そして、マニュアル弁を希望するレンジに対応した位置にするに当たっては通常、運転者がマニュアル弁をリンクなどにより直接機械的に操作して選択レンジ対応の位置にするよう構成するのが普通であった。
【０００３】
ところで、運転者が操作するシフトレバーとマニュアル弁との間を上記リンクなどで連結するには大きなスペースが必要であるし、これらシフトレバーおよびマニュアル弁間の相対位置の自由度も低くなることから、これに代えて、運転者のレンジ選択指令に応動するモータ等のアクチュエータによりマニュアル弁を間接的に選択レンジ対応の位置にするようにした、所謂シフトバイワイヤ式の選択レンジ切り換え制御装置も提案されている。
【０００４】
そして上記のレンジ選択指令を発生させるに際しては従来、例えば特開２００１−１５３２１５号公報に記載のごとく、ディスプレー上に表示させた上記レンジ毎のレンジ表示記号（ボタン）のうち希望するレンジに対応したレンジ表示記号を運転者が指で押してレンジ選択指令を発生させるよう構成する技術が提案された。
【０００５】
【発明が解決しようとする課題】
しかしこの対策では、希望するレンジに対応したレンジ表示記号を一度押すだけで当該希望レンジへの切り換えが行われることから、
運転者や同乗者が誤って何れかのレンジ表示記号に触れただけで対応するレンジへの切り換えが行われてしまい、運転者の意図しないレンジ切り換えが発生するという問題がある。
【０００６】
本発明は、誤ってレンジ表示記号に触れただけではレンジ切り換えが行われることがないようにして、運転者の意図しないレンジ切り換えが発生するという問題が発生するのを防止し得るようにした自動変速機の選択レンジ切り換え制御装置を提案することを目的とする。
【０００７】
【課題を解決するための手段】
この目的のため、本発明による自動変速機の選択レンジ切り換え制御装置は、請求項１に記載のごとく
運転者がディスプレー上におけるレンジ毎のレンジ表示記号を操作して発生させたレンジ選択指令に応動するアクチュエータによりマニュアル弁を選択レンジ対応の位置にして自動変速を可能にした自動変速機において、
先ず現在選択中のレンジに対応したレンジ表示記号を選択して現在レンジ確認済の信号を発生させ、
該現在レンジ確認済信号の発生中に別のレンジ表示記号の選択が確定された時に、該別のレンジ表示記号に対応したレンジへの切り換えを指令するよう前記レンジ選択指令を発する構成にしたことを特徴とするものである。
【０００８】
なお上記現在レンジ確認済信号は、請求項２に記載のごとく、現在選択中のレンジに対応したレンジ表示記号を指示した状態が続く限り、指示位置がディスプレー上のどこに移動しても発生させ続けるよう構成するのがよい。
【０００９】
また請求項３に記載のごとく、現在選択中のレンジに対応したレンジ表示記号を指示した状態が継続する間、指示位置の移動につれて移動する指示位置表示記号をディスプレー上に表示するよう構成するのがよい。
【００１０】
更に、前記別のレンジ表示記号の選択が確定されたことの認定に際しては請求項４に記載のごとく、上記の指示位置を上記別のレンジ表示記号が存在する位置に移動させて指示状態を解除した時をもって当該確定が行われたとするよう構成するのがよい。
【００１１】
また請求項５に記載のごとく、先ず現在選択中のレンジに対応したレンジ表示記号を指で押して現在レンジ確認済の信号を発生させ、この指押しによる現在レンジ確認済信号の発生中に他の指で別のレンジ表示記号を押して該別のレンジ表示記号の選択を確定することで、当該別のレンジ表示記号に対応したレンジへの切り換えを指令するようレンジ選択指令を発する構成にしてもよい。
【００１２】
【発明の効果】
請求項１に記載の本発明によれば、選択中のレンジに対応したレンジ表示記号を選択して現在レンジ確認済の信号を発生させておく操作と、別のレンジ表示記号の選択を確定する操作とが揃わない限り、当該別のレンジ表示記号に対応したレンジへの切り換えが行われることはないから、
或るレンジ表示記号に誤って触れたとしてもそれだけではレンジ切り換えが行われることがないこととなり、運転者の意図しないレンジ切り換えが発生するという前記従来の問題を解消することができる。
【００１３】
請求項２の構成によれば、現在選択中のレンジに対応したレンジ表示記号を指示した状態が続く限り、指示位置がディスプレー上のどこに移動しても現在レンジ確認済信号を発生させ続けるから、指示位置を別のレンジ表示記号まで移動させる等のドラッグ操作により対応するレンジへの切り換えを指令するレンジ選択指令を発することができる。
【００１４】
請求項３の構成によれば、現在選択中のレンジに対応したレンジ表示記号を指示した状態が継続する間、指示位置の移動につれて移動する指示位置表示記号をディスプレー上に表示するから、指示位置を目視確認しながら別のレンジ表示記号まで移動させることができて操作性が向上する。
【００１５】
請求項４の構成によれば、上記の指示位置を上記別のレンジ表示記号が存在する位置に移動させて指示状態を解除した時をもって当該別のレンジ表示記号の選択が確定されたとするため、上記のドラッグ操作等の後に指示状態を解除するだけで当該別のレンジ表示記号の選択を容易に確定することができ、操作性の更なる向上を実現することができる。
【００１６】
請求項５の構成によれば、現在選択中のレンジに対応したレンジ表示記号を指で押して現在レンジ確認済の信号を発生させる操作と、この指押しによる現在レンジ確認済信号の発生中に他の指で別のレンジ表示記号を押して該別のレンジ表示記号の選択を確定する操作との組み合わせにより、当該別のレンジ表示記号に対応したレンジへの切り換えを指令するようレンジ選択指令を発するようにしたから、使用する２本の指の間隔により感覚的にレンジ切り換えを指令することができて、場合によっては目視確認が不要になるという利点がある。
【００１７】
【発明の実施の形態】
以下、本発明の実施の形態を図面に基づき詳細に説明する。
図１は、本発明の一実施の形態になる選択レンジ切り換え制御装置を具えた有段式の自動変速機を１で示す。
この自動変速機１は、変速制御油圧回路を内蔵したコントロールバルブボディー２を具え、該コントロールバルブボディー２は、変速制御油圧回路中の図示せざるマニュアル弁を選択レンジ対応の位置にストロークさせるモータ等のアクチュエータ３を有すると共に、歯車変速機構の伝動経路（選択変速段）を決定するためのシフトソレノイド４，５を有する。
【００１８】
自動変速機の選択変速段はシフトソレノイド４，５のＯＮ，ＯＦＦの組み合わせにより決定することとし、これらシフトソレノイド４，５のＯＮ，ＯＦＦの組み合わせを、アクチュエータ３の作動位置とともにコントローラ６により制御する。
このためコントローラ６には、エンジンのスロットル開度ＴＶＯを検出するスロットル開度センサ７からの信号や、車速ＶＳＰを検出する車速センサ８からの信号を入力するほか、カーナビゲーションシステム等のタッチパネル式ディスプレー９に後述のごとく表示させたパネルスイッチ１０からの指令レンジ（ＲＮＧ）信号を入力する。
【００１９】
ディスプレー９上に表示させたパネルスイッチ１０は図２に明示するごとく、自動変速機１の駐車（Ｐ）レンジに対応したＰレンジスイッチ１０ａと、後退走行（Ｒ）レンジに対応したRレンジスイッチ１０ｂと、中立（Ｎ）レンジに対応したＮレンジスイッチ１０ｃと、前進自動変速（Ｄ）レンジに対応したＤレンジスイッチ１０ｄと、エンジンブレーキ（Ｌ）レンジに対応したＬレンジスイッチ１０ｅとよりなる、レンジ毎の同形、同サイズのレンジ表示記号とし、これらパネルスイッチ１０ａ〜１０ｅの表示域以外におけるディスプレー９上の領域を座標認識無効領域とする。
【００２０】
運転者がこれらパネルスイッチ１０ａ〜１０ｅを指１１で押したり、押した状態でこの指１１をディスプレー９上において破線や、二点鎖線により示すごとくスライドさせたり（ドラッグ操作）、指１１をディスプレー９離すことにより、ディスプレー９からコントローラ６に向けて指令レンジ（ＲＮＧ）信号を出力させることができるものとする。
図３（ａ），（ｂ）により詳述するに、レンジ切り換えに際して運転者は先ず、現在選択中のレンジ（図３ではＰレンジ）に対応したレンジ表示記号であるＰレンジスイッチ１０ａを指１１で押して選択し、現在レンジ確認済の信号を発生させる。
【００２１】
この時、ディスプレー９上にＰレンジスイッチ１０ａと同形、同サイズの指示位置表示記号１２を、例えば図３（ａ），（ｂ）に示すごとく指１１の接触位置に中心が来るよう表示させて、運転者が上記した現在レンジ確認済信号の発生を目視確認し得るようにする。
この指示位置表示記号１２は指１１がディスプレー９に接触している限り表示させ続けると共に、指１１を例えば図３（ａ），（ｂ）に破線、二点鎖線で示すように移動させて指１１による指示位置を移動させる時はこれに追従して指示位置表示記号１２も移動するようになす。
【００２２】
しかして指示位置表示記号１２は、指１１をディスプレー９に接触しなくなるようこれから離した時に消失するものとし、この時指示位置表示記号１２が部分的にでもパネルスイッチ１０ａ〜１０ｅのどれかに重なっていた時、当該重なっていたパネルスイッチ（図３ではＲレンジスイッチ１０ｂ）の選択が確定されたこととする。
ところで、指１１をディスプレー９から離した時に指示位置表示記号１２が全くパネルスイッチ１０ａ〜１０ｅのどれにも重なっておらず、指示位置表示記号１２が全体的にディスプレー９上の座標認識無効領域にあった時は、パネルスイッチ１０ａ〜１０ｅの何れも選択されなかったこととする。
【００２３】
上記の判定、およびこの判定結果に基づくレンジ切り換え制御は図４に示すごときもので、先ずステップＳ１においてディスプレー９が押されたか否かをチェックし、ディスプレー９が押されるまでステップＳ１での判定を継続する。
ステップＳ１でディスプレー９が押されたと判定する時制御をステップＳ２に進め、ディスプレー９上の押された座標が現在選択中のレンジに対応したレンジ表示記号（パネルスイッチ１０ａ〜１０ｅ）の領域内にあるか否かにより始点座標として認識可能か否かをチェックする。
【００２４】
ディスプレー９上の押された座標が始点座標として認識可能でなければ、ステップＳ３で禁則処理を行って制御をステップＳ１に戻し、ディスプレー９上の押された座標が始点座標として認識可能であれば、ステップＳ４において始点座標を設定すると共に指示位置表示記号１２を表示させて現在レンジ確認済信号を発生させる。
次いでステップＳ５において、ディスプレー９から指１１が離れたか否かをチェックし、離れるまでステップＳ５でのチェックを継続する。
なお、この間に指１１をディスプレー９に接触させたまま移動（ドラッグ）すると、指示位置表示記号１２も図３につき前述したごとくに移動して現在の指示位置がどこであるか、また現在レンジ確認済信号の発生中であることを表示し続けるものとする。
【００２５】
ステップＳ５でディスプレー９から指１１が離れたと判定する時、ステップＳ６において指示位置表示記号１２を消失させた後、ステップＳ７において指示位置表示記号１２がレンジ表示記号であるパネルスイッチ１０ａ〜１０ｅの１つに一部でも重なっていたか否かにより、指を離した座標が終点座標として認識可能か否かを判定する。
終点座標として認識可能でなければ、つまり、指示位置表示記号１２が消失前にパネルスイッチ１０ａ〜１０ｅの何れにも全く重なっておらず、全体的に座標認識無効領域内にあった場合は、ステップＳ８で禁則処理を行って制御をステップＳ１に戻す。
【００２６】
ステップＳ７で終点座標として認識可能と判定するとき、つまり指示位置表示記号１２が消失前にパネルスイッチ１０ａ〜１０ｅのどれかに一部でも重なっていたと判定するときは、ステップＳ９において終点座標を設定すると共に当該重なっていたパネルスイッチ（レンジ表示記号）の選択を確定する。
次いでステップＳ１０において、当該新たに選択を確定されたパネルスイッチに対応するレンジ（終点）が、現在選択中のレンジから切り換え可能なレンジか否かをチェックし、切り換え可能でなければステップＳ１１で禁則処理を行って制御をステップＳ１に戻す。
ここでレンジ切り換え不能な例としては、同じレンジ間でのレンジ切り換えのほかに、前進走行中におけるＲレンジへの切り換えや、後進走行中におけるＤ，Ｌレンジへの切り換えや、高速前進走行中におけるＤレンジからＬレンジへの切り換えや、走行中におけるＰレンジへの切り換えなど、自動変速機において常識的に禁止されているレンジ切り換えがある。
【００２７】
ステップＳ１０で上記の終点が現在選択中のレンジからの切り換えが可能なレンジであると判定するとき、ステップＳ１２において以下のレンジ切り換え処理を行う。
つまり、図１に示すコントローラ６はディスプレー９からの当該終点に対応する指令レンジ（ＲＮＧ）信号を受けてこの指令レンジＲＮＧへの切り換えを指令するレンジ選択指令をアクチュエータ３に供給するレンジ切り換え処理を行う。
この時アクチュエータ３は、コントロールバルブボディー２内の図示せざるマニュアル弁を現在選択中のレンジから指令レンジＲＮＧへレンジ切り換えを行う。
【００２８】
これにより自動変速機１は選択レンジ毎に所定の変速制御を行われ、この変速制御をＤレンジについて代表的に説明すると、コントロールバルブボディー６はスロットル開度ＴＶＯおよび車速ＶＳＰから現在の運転状態に適した目標変速段を求め、選択中の変速段から目標変速段への変速が行われるようシフトソレノイド４，５のＯＮ，ＯＦＦ切り換えを行う。
【００２９】
ところで本実施の形態においては、先ず指１１を現在選択中のレンジに対応したレンジ表示記号（パネルスイッチ）１０ａ〜１０ｅの何れかに触れて指示することにより現在レンジ確認済の信号を発生させ、この接触状態で（現在レンジ確認済信号の発生中に）指１１をドラッグ操作により別のレンジ表示記号（パネルスイッチ）に移動させた後、指１１をディスプレー９から離すことにより当該別のレンジ表示記号（パネルスイッチ）の選択を確定して、当該別のレンジ表示記号に対応した指令レンジＲＮＧへの切り換えを指令するレンジ選択指令を発するよう構成したから、
選択中のレンジに対応したレンジ表示記号を選択して現在レンジ確認済の信号を発生させておく操作と、別のレンジ表示記号の選択を確定する操作とが揃わない限り、当該別のレンジ表示記号に対応したレンジへの切り換えが行われないこととなり、
或るレンジ表示記号（パネルスイッチ）１０ａ〜１０ｅに誤って触れたとしてもそれだけではレンジ切り換えが行われることがなく、運転者の意図しないレンジ切り換えが発生するという問題を解消することができる。
【００３０】
更に本実施の形態によれば、選択中のレンジに対応したレンジ表示記号（パネルスイッチ）１０ａ〜１０ｅを指１１により押して指示した状態が続く限り、指１１による指示位置（指示位置表示記号１２）がディスプレー９上のどこに移動しても現在レンジ確認済信号を発生させ続けるから、指示位置（指示位置表示記号１２）を別のレンジ表示記号まで移動させるドラッグ操作により対応するレンジへの切り換えを指令するレンジ選択指令を発することができ、指をディスプレー９から離すことなく新しいレンジの選択を容易に行うことができる。
【００３１】
なおこの間、本実施の形態のごとく指１１の移動につれて移動する指示位置表示記号１２をディスプレー９上に表示する場合、指示位置を記号１２により目視確認しながら別のレンジ表示記号まで移動させることができ、この点でも操作性が向上する。
【００３２】
更に本実施の形態におけるごとく、指１１による指示位置を上記別のレンジ表示記号が存在する位置に移動させた後に指１１による指示状態を解除した時をもって当該別のレンジ表示記号の選択が確定されたとする場合、上記のドラッグ操作の後に指１１をディスプレー９から離して指示状態を解除するだけで当該別のレンジ表示記号の選択を容易に確定することができ、操作性の更なる向上を実現することができる。
【００３３】
なお上記した実施の形態においては、選択中のレンジに対応したレンジ表示記号（パネルスイッチ）１０ａ〜１０ｅを指示するにも、また新たなレンジ表示記号（パネルスイッチ）１０ａ〜１０ｅの選択を確定するにも、指１１でディスプレー９上を押したり、指１１をディスプレー９から離すというように指１１でディスプレー９上を直接操作することとしたが、この代わりに図５に例示するごとくディスプレー９上に常時表示されたカーソル１３を以下のごとくに操作するようになしてもよい。
【００３４】
つまり、ディスプレー９に付加して情報入力装置１４を設け、これにカーソル移動ボタン１５および情報選択スイッチ１６を設定する。
カーソル移動ボタン１５はカーソル１３を縦横に移動させる十字ボタンとし、情報選択スイッチ１６は押した状態でカーソル１３を押したとの信号を発生させ、釈放した状態でカーソル１３を放したとの信号を発生させるよう機能するものとする。
【００３５】
本実施の形態においてレンジ切り換えに際しては、先ずカーソル移動ボタン１５を操作してカーソル１３を、選択中のレンジに対応したパネルスイッチ１０ａ〜１０ｅに少なくとも一部が重なるよう移動させる。
次いで情報選択スイッチ１６を押すことにより、選択中のレンジに対応したパネルスイッチ１０ａ〜１０ｅを選択して現在レンジ確認済の信号を発生させる。
更に、情報選択スイッチ１６を押した状態でカーソル移動ボタン１５を操作してカーソル１３を、次に選択すべきレンジに対応した別のパネルスイッチ１０ａ〜１０ｅに少なくとも一部が重なるよう移動させ、ドラッグ操作によりこのスイッチを選択する。
その後情報選択スイッチ１６を放すことにより当該別のパネルスイッチの選択を確定し、ディスプレー９からコントローラ６（図１参照）に向けて指令レンジ（ＲＮＧ）信号を出力させるものとする。
【００３６】
なお本実施の形態においても図３につき前述したと同様に、現在レンジ確認済信号の発生後は情報選択スイッチ１６が押されている限り、ディスプレー９上に対応するパネルスイッチと同形、同サイズの指示位置表示記号１２を表示させ、これをカーソル１３と共に移動させることができること勿論である。
【００３７】
ところで、図２および図３のようにディスプレー９上を指１１で操作する場合も、図５のようにディスプレー９上をカーソル１３で操作する場合も、パネルスイッチ１０ａ〜１０ｅ間における領域は前記したように座標認識無効領域とせず、図６に示すごとく座標認識有効領域１７とし、相互に隣接するスイッチ間の中央境界線１８を境にした半分領域を隣接するパネルスイッチに所属した座標認識有効領域とする。
かようにパネルスイッチ１０ａ〜１０ｅ間における領域１７を、隣接したパネルスイッチに所属する座標認識有効領域とする場合、前記したドラッグ操作によりシフト開始レンジおよびシフト終了レンジを一義的に決定することができ、中間的なドラッグ位置で無信号状態になったり、複数信号状態になって制御不安となる懸念を払拭することができる。
【００３８】
なお図６のように、カーソル１３が直線的に図面の横方向へのみ（縦方向のみでもよい）移動するよう構成した場合、移動成分が特定の直線上における成分に限定されることとなって機械的な既存のシフトレバーに近い操作感を実現することができる。
また、図３に示す指示位置表示記号１２を終点座標の確定時に、対応するパネルスイッチ１０ａ〜１０ｅ上に完全に重なるよう位置補正するようになすことができ、この場合機械的なシフトレバーに設定されているディテント機構に近い操作上の節度感を持たせることができ、大いに有利である。
【００３９】
図７〜図９は、本発明の更に他の実施の形態になるレンジ切り換え制御装置を示し、本実施の形態においては先ず図７に示すように、現在選択中のレンジ（図７ではＮレンジ）に対応したパネルスイッチ１０ａ〜１０ｅ（図７ではＮレンジ表示記号１０ｃ）を指１１ａ（例えば人差し指）で押して現在レンジ確認済の信号を発生させる操作を行う。
次いで図８に示すごとく、指１１ａによるパネルスイッチ押圧状態で（現在レンジ確認済信号の発生中に）他の指１１ｂ（例えば親指）により切り換え先のレンジに対応した別のレンジ表示記号（図８ではＤレンジ表示記号１０ｄ）を押して当該別のレンジ表示記号の選択を確定する操作を行う。
これら２操作の順次組み合わせにより、選択中のＮレンジから上記別のレンジ表示記号１０ｄに対応したＤレンジへの切り換えを指令するようレンジ選択指令を発する。
【００４０】
上記の２操作によるレンジ切り換え制御は図９に示すごときもので、先ずステップＳ２１において図７に例示するごとくディスプレー９が押されたか否かをチェックし、ディスプレー９が押されるまでステップＳ２１での判定を継続する。
ステップＳ２１でディスプレー９が押されたと判定する時制御をステップＳ２２に進め、ディスプレー９上の押された座標が現在選択中のレンジに対応したレンジ表示記号（パネルスイッチ１０ａ〜１０ｅ）の領域内にあるか否かにより始点座標として認識可能か否かをチェックする。
【００４１】
ディスプレー９上の押された座標が始点座標として認識可能でなければ、ステップＳ２３で禁則処理を行って制御をステップＳ２１に戻し、ディスプレー９上の押された座標が始点座標として認識可能であれば、ステップＳ２４において始点座標を設定し、現在レンジ確認済信号を発生させる。
ただし本実施の形態においては、前記したドラッグ操作を行わないことから図３に示すごとき指示位置表示記号１２を表示させないこととする。
【００４２】
次いでステップＳ２５において、ディスプレー９から指１１ａが離れたか否かをチェックし、離れたらレンジ切り換えを要求していないため、ステップＳ２６において禁則処理を行った後に制御をステップＳ２１に戻す。
ステップＳ２５において、指１１ａがディスプレー９から離れず現在選択中のレンジに対応したレンジ表示記号（パネルスイッチ１０ａ〜１０ｅ）を押し続けていると判定する時は、ステップＳ２７において図８のごとくディスプレー９上の別の箇所が押されているか否かをチェックし、別の箇所が押されるまではステップＳ２５、ステップＳ２７での判定を継続する。
【００４３】
ステップＳ２７で図８のごとくディスプレー９上の別の箇所が押されていると判定する時はステップＳ２８において、新たに押された上記別の箇所がレンジ表示記号であるパネルスイッチ１０ａ〜１０ｅの領域内にあるか否かにより、新たに押した当該別の箇所の座標が終点座標として認識可能か否かを判定する。
終点座標として認識可能でなければ、つまり、新たに押された上記別の箇所がレンジ表示記号であるパネルスイッチ１０ａ〜１０ｅの領域内にない場合は、ステップＳ２９で禁則処理を行って制御をステップＳ２１に戻す。
【００４４】
ステップＳ２８で終点座標として認識可能と判定するとき、つまり新たに押された上記別の箇所がレンジ表示記号であるパネルスイッチ１０ａ〜１０ｅの領域内であると判定するときは、ステップＳ３０において終点座標を設定すると共に上記別の箇所に対応したパネルスイッチ（レンジ表示記号）の選択を確定する。
次いでステップＳ３１において、当該新たに選択を確定されたパネルスイッチに対応するレンジ（終点）が、現在選択中のレンジから切り換え可能なレンジか否かをチェックし、切り換え可能でなければステップＳ３２で禁則処理を行って制御をステップＳ２１に戻す。
【００４５】
ステップＳ３１で上記の終点が現在選択中のレンジからの切り換えが可能なレンジであると判定するとき、ステップＳ３３において以下のレンジ切り換え処理が行われる。
つまり、図１に示すコントローラ６はディスプレー９からの当該終点に対応する指令レンジ（ＲＮＧ）信号を受けてこの指令レンジＲＮＧへの切り換えを指令するレンジ選択指令をアクチュエータ３に供給するレンジ切り換え処理を行う。
この時アクチュエータ３は、コントロールバルブボディー２内の図示せざるマニュアル弁を現在選択中のレンジから指令レンジＲＮＧへレンジ切り換えを行う。
【００４６】
本実施の形態においても、先ず指１１ａを現在選択中のレンジに対応したレンジ表示記号（パネルスイッチ）１０ａ〜１０ｅの何れかに触れて指示することにより現在レンジ確認済の信号を発生させ、この接触状態で（現在レンジ確認済信号の発生中に）他の指１１ｂを別のレンジ表示記号（パネルスイッチ）に触れて当該別のレンジ表示記号（パネルスイッチ）の選択を確定することにより、当該別のレンジ表示記号に対応した指令レンジＲＮＧへの切り換えを指令するレンジ選択指令を発するよう構成したから、
選択中のレンジに対応したレンジ表示記号を選択して現在レンジ確認済の信号を発生させておく操作と、別のレンジ表示記号の選択を確定する操作とが揃わない限り、当該別のレンジ表示記号に対応したレンジへの切り換えが行われないこととなり、
或るレンジ表示記号（パネルスイッチ）１０ａ〜１０ｅに誤って触れたとしてもそれだけではレンジ切り換えが行われることがなく、運転者の意図しないレンジ切り換えが発生するという問題を解消することができる。
【００４７】
更に本実施の形態によれば、使用する２本の指１１ａ，１１ｂの間隔により感覚的にレンジ切り換えを指令することができて、場合によってはレンジ切り換えのための目視確認が不要になるという利点がある。
【図面の簡単な説明】
【図１】  本発明の一実施の形態になる選択レンジ切り換え制御装置を具えた自動変速機の制御システムを示す概略系統図である。
【図２】  同実施の形態における選択レンジ切り換え制御装置のディスプレーを指による操作中の状態で示す平面図である。
【図３】  同ディスプレー上で指を移動させた時の軌跡を示し、
（ａ）は、指を横方向にのみ移動させた時の軌跡を示す説明図、
（ｂ）は、指を横方向および縦方向に移動させた時の軌跡を示す説明図である。
【図４】  同実施の形態における選択レンジ切り換え制御装置のコントローラが実行するレンジ切り換え制御プログラムを示すフローチャートである。
【図５】  本発明の他の実施の形態になる選択レンジ切り換え制御装置のディスプレーを、その情報入力装置と共に示す平面図である。
【図６】  本発明の更に他の実施の形態になる選択レンジ切り換え制御装置のディスプレーを示す平面図である。
【図７】  本発明の別の実施の形態になる選択レンジ切り換え制御装置のディスプレーを、第１操作段階で示す平面図である。
【図８】  同実施の形態になる選択レンジ切り換え制御装置のディスプレーを、第２操作段階で示す平面図である。
【図９】  同実施の形態における選択レンジ切り換え制御装置のコントローラが実行するレンジ切り換え制御プログラムを示すフローチャートである。
【符号の説明】
１  自動変速機
２  コントロールバルブボディー
３  レンジ切り換え用アクチュエータ
４  シフトソレノイド
５  シフトソレノイド
６  コントローラ
７  スロットル開度センサ
８  車速センサ
９  ディスプレー
10  パネルスイッチ（レンジ表示記号）
10a  Ｐレンジ表示記号
10b  Ｒレンジ表示記号
10c  Ｎレンジ表示記号
10d  Ｄレンジ表示記号
10e  Ｌレンジ表示記号
11   指
11a  人差し指
11b  親指
12  指示位置表示記号
13  カーソル
14  情報入力装置
15  カーソル移動ボタン
16  情報入力選択スイッチ
17  パネルスイッチ間の座標認識有効領域
18  中央境界線
【図１】
0003690334.tif 000002
【図２】
0003690334.tif 000003
【図３】
0003690334.tif 000004
【図４】
0003690334.tif 000005
【図５】
0003690334.tif 000006
【図６】
0003690334.tif 000007
【図７】
0003690334.tif 000008
【図８】
0003690334.tif 000009
【図９】
0003690334.tif 000010